(57)【特許請求の範囲】
【請求項１】
上下方向に延びる一対の縦枠と、見付け方向に延びる一対の横枠と、を有し四方枠状に形成された枠体を備えた建具であって、
前記縦枠及び前記横枠それぞれに、前記縦枠及び前記横枠の面内方向外側に凹むように形成された凹部と、
前記縦枠及び前記横枠のそれぞれの前記凹部に挿入された押し縁と、
前記縦枠及び前記横枠の少なくともいずれか一方の前記凹部に挿入され、前記縦枠及び前記横枠の他方に挿入された前記押し縁の端面を支持する補強部材と、を備え、
前記補強部材は、前記縦枠及び前記横枠の前記他方の前記凹部に挿入された前記押し縁と係合する押し縁係合部を有することを特徴とする建具。
【請求項２】
前記縦枠及び前記横枠の前記一方の前記凹部に挿入された前記押し縁の端面は、前記縦枠及び前記横枠の前記他方の前記凹部に挿入された前記押し縁に当接している請求項１に記載の建具。
【発明の詳細な説明】
【技術分野】
【０００１】
本発明は、構造物の開口部に設けられる建具に関する。
【背景技術】
【０００２】
従来から、構造物の開口部に設けられる建具において、ＦＩＸ（嵌め殺し窓）等では、開口部に固定された枠の内側に、ガラス等で構成されたパネル状の障子が設置されている（下記特許文献１参照）。枠には障子と対向する面から内方に向かって凹部が形成され、この凹部に押し縁が嵌合され、押し縁が障子を押圧することで、障子が設置されている。
【先行技術文献】
【特許文献】
【０００３】
【特許文献１】特開２０１２−２００８９４号公報
【発明の概要】
【発明が解決しようとする課題】
【０００４】
しかしながら、上記の特許文献１に記載されたサッシでは、ガラスを支持している押し縁が熱により長手方向に伸長することがある。例えば、上下方向に延びる縦押し縁の側面に左右方向に延びる横押し縁の端面が突き付けられるように設けられている場合に、縦押し縁が伸長すると、縦押し縁の両端面（上面及び下面）がそれぞれ上枠及び縦枠を押圧する。これにより、上枠及び下枠が変形して、建具の耐久性が低下する可能性がある。
【０００５】
本発明は、このような課題に鑑みてなされたものであって、押し縁が伸長しても枠体の変形を抑制することができる建具を提供する。
【課題を解決するための手段】
【０００６】
上記目的を達成するために、本発明は以下の手段を採用している。
すなわち、本発明に係る建具は、上下方向に延びる一対の縦枠と、見付け方向に延びる一対の横枠と、を有し四方枠状に形成された枠体を備えた建具であって、前記縦枠及び前記横枠それぞれに、前記縦枠及び前記横枠の面内方向外側に凹むように形成された凹部と、前記縦枠及び前記横枠のそれぞれの前記凹部に挿入された押し縁と、前記縦枠及び前記横枠の少なくともいずれか一方の前記凹部に挿入され、前記縦枠及び前記横枠の他方に挿入された前記押し縁の端面を支持する補強部材と、を備え、前記補強部材は、前記縦枠及び前記横枠の前記他方の前記凹部に挿入された前記押し縁と係合する押し縁係合部を有することを特徴とする。
【０００７】
このように構成された建具では、横枠の凹部に補強部材が挿入されていると、縦枠に挿入された押し縁が伸長した場合には、補強部材が縦枠に挿入された押し縁の端面を支持するため、当該押し縁が横枠を押圧して変形させることを抑制することができる。一方、縦枠の凹部に補強部材が挿入されていると、横枠に挿入された押し縁が伸長した場合には、補強部材が横枠に挿入された押し縁の端面を支持するため、当該押し縁が縦枠を押圧して変形させることを抑制することができる。
また、補強部材の押し縁係合部は、該補強部材が支持する押し縁と係合するため、補強部材が押し縁を支持した状態を維持することができる。
【０００８】
また、本発明に係る建具は、前記縦枠及び前記横枠の前記一方の前記凹部に挿入された前記押し縁の端面は、前記縦枠及び前記横枠の前記他方の前記凹部に挿入された前記押し縁に当接していることが好ましい。
【０００９】
このように構成された建具では、横枠の凹部に挿入された押し縁の端面が縦枠の凹部に挿入された押し縁に当接していると、横枠の凹部に挿入された押し縁が伸長した場合には縦枠の凹部に挿入された押し縁が伸長した押し縁を支持するとともに、縦枠の凹部に挿入された押し縁が伸長した場合には横枠の凹部に挿入された補強部材が伸長した押し縁を支持するため、枠体の変形を抑制することができる。一方、縦枠の凹部に挿入された押し縁の端面が横枠の凹部に挿入された押し縁に当接していると、縦枠の凹部に挿入された押し縁が伸長した場合には横枠の凹部に挿入された押し縁が伸長した押し縁を支持するとともに、横枠の凹部に挿入された押し縁が伸長した場合には縦枠の凹部に挿入された補強部材が伸長した押し縁を支持するため、枠体の変形を抑制することができる。
【発明の効果】
【００１２】
本発明による建具によれば、押し縁が伸長しても枠体の変形を抑制することができる。
【図面の簡単な説明】
【００１３】
【図１】本発明の実施形態による連窓の水平断面図である。
【図２】図１に示す連窓のＦＩＸ窓の縦断面図である。
【図３】図１に示す連窓の縦辷り出し窓の縦断面図である。
【図４】図１に示す連窓の方立部分の拡大断面図である。
【図５】実施形態による連窓に方立アタッチメントを取り付けた要部正面図である。
【図６】ＦＩＸ窓の上枠と下枠の間に設置した方立アタッチメントと上枠アタッチメントと下枠アタッチメントとの連結構造を示す図５のＡ−Ａ線断面図である。
【図７】図６に示す方立アタッチメントと上側と下側のガイド部材とを示す要部分解斜視図である。
【図８】方立アタッチメントと下側のガイド部材との嵌合状態を示す部分斜視図である。
【図９】ＦＩＸ窓を仕切る方立に設置した方立アタッチメントと下枠アタッチメントとの取り付け状態を示す部分斜視図である。
【図１０】下枠アタッチメントに設けられた補強部材の方立アタッチメント側の取付け状態を示すため一部断面で示した正面図である。
【図１１】下枠アタッチメントに設けられた補強部材の縦枠アタッチメント側の取付け状態を示すため一部断面で示した正面図である。
【図１２】下枠アタッチメントに設けられた補強部材を示す縦断面図である。
【図１３】補強部材の斜視図である。
【図１４】下枠アタッチメントに設けられた補強部材の方立アタッチメント側の取付け状態を示すための水平断面図である。
【図１５】下枠アタッチメントに設けられた補強部材の縦アタッチメント側の取付け状態を示すための水平断面図である。
【発明を実施するための形態】
【００１４】
以下、本発明の実施形態による建具の一例を添付図面により説明する。
図１乃至図１５は本発明の実施形態による連窓１を示すものである。図１に示す実施形態による連窓１は、建物の躯体に形成された建物開口部に取り付けられる例えば四角形の枠体２内に、例えばＦＩＸ窓(嵌め殺し窓)３と縦辷り出し窓４とを方立５を挟んで左右方向に配列した構成を備えている。
ＦＩＸ窓３は枠体２と方立５で仕切られた一方の開口部１３Ａに固定した障子７を備え、縦辷り出し窓４は枠体２と方立５との間の他方の開口部１３Ｂに吊元側の縦框回りに開閉可能に納めた障子８を備えている。しかも、連窓１は断熱性の高い樹脂からなる樹脂建具である。
【００１５】
図１〜図３において、連窓１の枠体２は躯体の開口に設置された樹脂製の上枠１０と下枠１１と左右の縦枠１２Ａ、１２Ｂとからなる四角形枠状の開口部１３を備えている。なお、上枠１０と下枠１１と左右の縦枠１２Ａ，１２Ｂは端部同士を当接させて互いに熱溶着させている。そのため、熱で上枠１０、下枠１１、左右の縦枠１２Ａ，１２Ｂが伸長しようとしても互いにその応力を吸収して熱変形を抑制できる。
図２、図３において、上枠１０は、断面略四角形をなす複数のホロー部１０ａの屋外側にテーパ状のホロー部１０ｂを連結してなり、下枠１１も、断面略四角形をなす複数のホロー部１１ａの屋外側にテーパ状のホロー部１０ｂを連結している。
また、図１において、左右の縦枠１２Ａ，１２Ｂは、断面略四角形をなす複数のホロー部１２ａの屋外側にテーパ状のホロー部１２ｂを連結している。テーパ状のホロー部１０ｂ、１１ｂ、１２ｂは内面が屋内側から屋外側に向けて開口部１３の幅が次第に広がるようにテーパ状に形成されている。また、断面略四角形をなすホロー部１０ａ，１１ａ、１２ｂ内には断熱材１５が設置されている。
【００１６】
そして、左右の縦枠１２Ａ，１２Ｂの中間に上下方向に延びて開口部１３を仕切る方立５は断面略四角形状のホロー部からなり、内部に断熱材１５が設置されている。
この連窓１において、枠体２の開口部１３ＡのＦＩＸ窓３には縦枠１２Ａの略四角形状のホロー部１２ａと方立５との間に２層または３層ガラスパネルの障子が設置されていた。また、開口部１３Ｂの縦辷り出し窓４には縦枠１２Ｂの略四角形状のホロー部１２ａと方立５との間に２層または３層ガラスパネルの障子が設置されていた。
本実施形態による連窓１は、これを同一の枠体２を用いて例えば各５層ガラスパネルを納めた障子７と障子８に交換施工してＦＩＸ窓３と縦辷り出し窓４を構成したものである。
【００１７】
本実施形態による連窓１の縦辷り出し窓４では、図１及び図３に示すように、枠体２内に開閉可能に納めた障子８はそれぞれ樹脂からなる上框１７と下框１８と左右の縦框１９とからなる四角形枠状の框体を有し、その内部に例えば５層のガラスパネル２０を備えた複層パネル２１を納めている。
しかも、この縦辷り出し窓４では、複層パネル２１を支持する左右の縦框１９は屋内側のホロー部１９ａが比較的小幅に設定され、屋外側の拡径ホロー部１９ｂが比較的幅が大きく設定された段付き形状とされている。左右の縦框１９における拡径ホロー部１９ｂの屋内側の面には、縦枠１２Ｂの屋外側の段部におけるホロー部１２ａと方立５の先端部５ａにそれぞれ当接する気密材２３ａ、２３ｂが嵌合されている。
【００１８】
また、縦辷り出し窓４において、複層パネル２１は５層のガラスパネル２０がスペーサ２６を挟んで平行に配列されている。５層の複層パネル２１はその四辺端部を上框１７、下框１８、左右の縦框１９に形成した嵌合凹部で嵌合保持されている。上框１７、下框１８、左右の縦框１９において、その屋外側端部にはそれぞれ押し縁２４が凹部に嵌合固定されてヒレ部を介して外側のガラスパネル２０を押圧している。
そして、上框１７、下框１８、左右の縦框１９の屋内側端部にはそれぞれ内側框部２５が一体形成されてヒレ部を介して内側のガラスパネル２０を押圧している。しかも、内側框部２５は対向する押し縁２４よりも複層パネル２１の中央側に突出している。
【００１９】
なお、図１において、縦辷り出し窓４における縦框１９の一方の屋内側の内側框部２５を設置した面には障子８を開閉操作するためのグレモン錠のハンドル２７が取り付けられている。図４に示すハンドル２７には、その開閉操作によって上下動させる施錠用のロックピン２８が連結されている。これに対向する方立５の側壁には、ロックピン２８を係合離脱させるロック溝を有する受け具２９が設けられている。グレモン錠のハンドル２７を開閉方向に操作することによってロックピン２８を上下動させて受け具２９のロック溝に対してロックピン２８のロックとアンロック操作を行う。
また、この縦辷り出し窓４では、複層パネル２１を備えた障子８を屋内側に寄せて縦枠１２Ｂと方立５と上枠１０、下枠１１の間の開口部１３Ｂに設置したため、上框１７、下框１８、左右の縦框１９の屋外側端面は枠体２の上枠１０、下枠１１、左右の縦枠１２Ａ、１２Ｂの屋外側端面とほぼ面一に設定されている。また、縦枠１２Ｂの屋内側の受け部と方立５の屋内側受け部には、閉塞位置にある障子８の左右方向の内側框部２５をそれぞれ受ける気密材３０が固定されている。
【００２０】
次に、ＦＩＸ窓３に５層のガラスパネル２０からなる障子７を設置した構造について説明する。
図１、図２、図４に示すＦＩＸ窓３において、５層のガラスパネル２０をスペーサ２６を介して平行に配列させた複層パネル３２は上述した縦辷り出し窓４と略同一構成を有している。この複層パネル３２を枠体２の縦枠１２Ａと方立５との間の開口部１３Ａに設置する場合、方立５の屋内外方向の長さが枠体２の長さより短く、縦枠１２Ａと上枠１０及び下枠１１は先端側にテーパ状のホロー部１０ｂ、１１ｂ、１２ｂを設置しているために、嵌め殺し用の障子７を装着するためのアタッチメント３３を開口部１３Ａを囲う上枠１０と下枠１１と縦枠１２Ａと方立５とにそれぞれ設置するものとする。
これらのアタッチメント３３は樹脂製であり、方立５の先端に連結する方立アタッチメント３３Ａと、縦枠１２Ａ、上枠１０、下枠１１に連結する縦枠アタッチメント３３Ｂ，上枠アタッチメント３３Ｃ，下枠アタッチメント３３Ｄとからなり、複層パネル３２を装着するために方立５、縦枠１２Ａ、上枠１０、下枠１１を屋外方向に延長させる補助枠を構成する。
【００２１】
次に、方立アタッチメント３３Ａについて図４を中心に図５〜図８を参照して説明する。
方立アタッチメント３３Ａは方立５の屋外側に設置するものであり、下枠１１と上枠１０間の距離より若干短い上下方向長さを有している。方立アタッチメント３３Ａは、図４の断面図に示すように複数のホロー部３３ａ、３３ｂを備えた略長方形筒状に形成されており、その屋内側の一方の基片部３４ａを方立５の先端部５ａに当接させ、他方のより長い片に設けたネジ受け部３４ｂを通して、方立５の先端部５ａとホロー部５ｂとの間の受け部５ｃにネジ３５を螺合させて方立５に固定されている。なお、方立５のホロー部内には断熱材１５と鋼製の芯材とが設置されている。
そして、方立アタッチメント３３Ａに形成されたホロー部３３ｂ、３３ａの間にはＦＩＸ窓３側に開口する、換言すると方立アタッチメント３３Ａの面内方向外側に凹む凹溝部（凹部）３６が形成されている。この凹溝部３６には複層パネル３２の外側のガラスパネル２０を押圧する押し縁３７Ａが嵌合されている。この押し縁３７Ａも複層パネル３２のスペーサ２６と略同一高さまで突出している。押し縁３７Ａは、見込み方向に離間して配置された一対の爪部３８Ａを有している。これら一対の爪部３８Ａが、凹溝部３６に嵌め込まれて係止されることで、押し縁３７Ａが凹溝部３６に嵌合されている。また、押し縁３７Ａは、方立アタッチメント３３Ａと当接する屋外側壁部３８Ｂを有している。この屋外側壁部３８Ｂが方立アタッチメント３３Ａと屋外側で当接することで、押し縁３７Ａと方立アタッチメント３３Ａとの間に隙間が形成されないようになっている。
【００２２】
また、図１において、方立アタッチメント３３Ａに対向する縦枠アタッチメント３３Ｂは、一方の縦枠１２Ａにおける略四角形筒状の屋外側のホロー部１２ａに連結したものであり、下枠１１と上枠１０間の距離に同等の上下方向長さを有している。この縦枠アタッチメント３３Ｂは水平断面視略台形状で複数のホロー部を備えた形状であり、その傾斜面３９がテーパ状のホロー部１２ｂのテーパ面に面接触してネジ３５で固定されている。
また、縦枠アタッチメント３３Ｂの屋内側端部にはばね性のある一対の係合爪４０が形成され、この係合爪４０は縦枠１２Ａのホロー部１２ａに形成した係合受け部４１に係合されている。しかも縦枠アタッチメント３３Ｂの方立アタッチメント３３Ａ側の面は方立アタッチメント３３Ａと略平行に形成されており、その先端面に形成された凹溝部（凹部）３６には押し縁３７Ｂが嵌合されて、複層パネル３２の外側のガラスパネル２０を押圧している。
【００２３】
また、図２に示すＦＩＸ窓３の縦断面図において、縦枠アタッチメント３３Ｂと同様に、上枠１０の略四角形状のホロー部１０ａの屋外側に上枠アタッチメント３３Ｃが固定されており、下枠１１のホロー部１１ａの屋外側にも下枠アタッチメント３３Ｄが固定されている。これら上枠アタッチメント３３Ｃと下枠アタッチメント３３Ｄは縦枠アタッチメント３３Ｂと同様な構造で上枠１０と下枠１１にそれぞれ連結されており、同一または同様な構造には同一の符号と名称を用いている。
【００２４】
そのため、図２及び図５において、上枠アタッチメント３３Ｃの凹溝部（凹部）３６に嵌合された押し縁３７Ｃと、下枠アタッチメント３３Ｄの凹溝部（凹部）３６に嵌合された押し縁３７Ｄは、それぞれ複層パネル３２の屋外側のガラスパネル２０をそれぞれ押圧している。
また、上枠アタッチメント３３Ｃと下枠アタッチメント３３Ｄは長手方向両端が、方立アタッチメント３３Ａの後述するガイド部材４５と縦枠アタッチメント３３Ｂの側面に当接して保持されているものとする。
なお、複層パネル３２の屋内側のガラスパネル２０は方立５、縦枠１２Ａ、上枠１０、下枠１１の各屋内側端部に設けた気密材５５によって押圧されている。
【００２５】
次に、方立アタッチメント３３Ａとその上下端部に設置されたガイド部材４５との連結構造について、図５〜図９によって説明する。方立アタッチメント３３Ａは上枠１０と下枠１１の長手方向中間に設置されるために熱で伸縮した場合に上枠１０または下枠１１を押圧して変形させるおそれがあり、これを防ぐためにガイド部材４５を設置した。
図６、図７はＦＩＸ窓３における枠体２と方立アタッチメント３３Ａと上枠アタッチメント３３Ｃ及び下枠アタッチメント３３Ｄとの連結構造を示すものである。なお、図６において後述する補強ピース１００の図示を省略している。方立アタッチメント３３Ａの上端部と下端部には上枠１０と下枠１１のテーパ状のホロー部１０ｂ、１１ｂに固定されたガイド部材４５がそれぞれ固定されている。
各ガイド部材４５は、図７に示すように、ホロー部１０ｂのテーパ面に固定された正面視略台形状の基部４６と基部４６から上下方向に延びる第一ガイド部４７、第二ガイド部４８とを備え、更に基部４６から水平方向に延びる第三ガイド部４９を備えている。上下の各ガイド部材４５は互いに線対称に形成されている。また、基部４６の屋外側の面には方立アタッチメント３３Ａとの隙間Ｋ１，Ｋ２を隠すための隙間隠し４６ａが突出して形成されている。
【００２６】
そして、上端のガイド部材４５の第一ガイド部４７は方立アタッチメント３３Ａの上端部の略四角形筒状のホロー部３３ａに挿入され、第二ガイド部４８は別のホロー部３３ｂに挿入され、しかも第二ガイド部４８の先端に設けた弾性変形可能なピン４８ａは方立アタッチメント３３Ａの表面に形成された係合穴５２に係合可能とされている。
また、第三ガイド部４９は上枠アタッチメント３３Ｃのホロー部３３ｄ内に挿入され、上枠アタッチメント３３Ｃの表面の穴から挿入したネジ５６によって螺合されて固定されている。
下端に設けたガイド部材４５も同様に方立アタッチメント３３Ａの下端部のホロー部３３ａ、３３ｂに挿入する第一、第二ガイド部４７，４８を備え、下枠アタッチメント３３Ｄのホロー部３３ｄ内に挿入された第三ガイド部４９は、下枠アタッチメント３３Ｄの表面の穴から挿入したネジ５６によって螺合され固定されている。
【００２７】
しかも、方立アタッチメント３３Ａとその上側に固定したガイド部材４５の間に若干(例えば２〜３ｍｍ程度)の隙間Ｋ１が形成され、方立アタッチメント３３Ａとその下側に固定したガイド部材４５の間にも若干(例えば２〜３ｍｍ程度)の隙間Ｋ２が形成されている。そして、方立アタッチメント３３Ａが熱で伸長した場合には、ピン４８ａの係止があっても伸びて、上下のガイド部材４５との隙間Ｋ１，Ｋ２で吸収し、それ以上の伸張は基部４６で受け止めることができる。そのため、上枠１０と下枠１１に直接当接させた場合のように方立アタッチメント３３Ａが熱で伸長して上枠１０または下枠１１を押圧して変形させるおそれがない。
方立アタッチメント３３Ａと上下のガイド部材４５との隙間Ｋ１，Ｋ２はいずれか一方のみに形成し、他方は互いに当接させていてもよい。或いは、隙間Ｋ１、Ｋ２を設けずに方立アタッチメント３３Ａと上下のガイド部材４５を互いに当接させてもよい。これらの場合でも方立アタッチメント３３Ａの熱による伸長を吸収できる。
また、方立アタッチメント３３Ａが冷却されて収縮した場合でも、その上下端部に設けたガイド部材４５の第一及び第二ガイド部４７，４８が方立アタッチメント３３Ａの上下のホロー部３３ａ、３３ｂに挿入された状態で収縮するから、方立アタッチメント３３Ａの変形を防止できる。
【００２８】
なお、図８は方立アタッチメント３３Ａの下端部にガイド部材４５を取り付けた状態の要部斜視図である。また、図９はＦＩＸ窓３において、方立５の先端側に方立アタッチメント３３Ａを取り付け、下枠１１の先端に下枠アタッチメント３３Ｄを取り付けた状態を示すものであり、方立アタッチメント３３Ａの下端部に設けたガイド部材４５が先端部を除いて下枠アタッチメント３３Ｄに当接している。
また、方立アタッチメント３３Ａに対向する縦枠アタッチメント３３Ｂにおいては、強度の高い枠体２の縦枠１２Ａに固定されているため、伸縮しても上枠１０と下枠１１で受け止めて変形を防止できる。上枠アタッチメント３３Ｃと下枠アタッチメント３３Ｄにおいても同様である。
【００２９】
次に、方立アタッチメント３３Ａ及び縦枠アタッチメント３３Ｂにそれぞれ嵌合された押し縁３７Ａ，３７Ｂの下方に設けられた補強ピース（補強部材）１００について、図１０〜図１５によって説明する。押し縁３７Ａ，３７Ｂが熱で伸長した場合に、下枠アタッチメントを押圧して変形させるおそれがあり、これを防ぐために補強ピース１００を設置した。
【００３０】
図１０に示すように、方立アタッチメント３３Ａの凹溝部３６に嵌合された押し縁３７Ａの側面３７Ａ１に、下枠アタッチメント３３Ｄの凹溝部３６に嵌合された押し縁３７Ｄの端面３７Ｄ１を当接させている。
【００３１】
また、押し縁３７Ａの下端部では、爪部３８Ａ及び屋外側壁部３８Ｂが切り欠かれ、凹部３８Ｃが形成されている。
【００３２】
図１１に示すように、縦枠アタッチメント３３Ｂの凹溝部３６に嵌合された押し縁３７Ｂの側面３７Ｂ１に、下枠アタッチメント３３Ｄの凹溝部３６に嵌合された押し縁３７Ｄの端面３７Ｄ１を当接させている。
【００３３】
また、縦枠アタッチメント３３Ｂの凹溝部３６に嵌合された押し縁３７Ｂの下端部でも同様に、爪部３８Ａ及び屋外側壁部３８Ｂが切り欠かれ、凹部３８Ｃが形成されている。
【００３４】
一方、図１２及び図１３に示すように、補強ピース１００は、下枠アタッチメント３３Ｄの凹溝部３６に挿入される基台１０１と、基台１０１の上面に設けられた支持部１０２と、を有している。さらに、補強ピース１００は、支持部１０２の端部から上方に立設された係合壁部（押し縁係合部）１０３と、支持部１０２の端部から延びる一対の係合爪部（凹部係合部）１０４と、を有している。
【００３５】
図１０に示すように、方立アタッチメント３３Ａ側では、押し縁３７Ａの下方において、補強ピース１００の基台１０１が、下枠アタッチメント３３Ｄの凹溝部３６に挿入されている。補強ピース１００の支持部１０２の上面１０２ａは、押し縁３７Ａの下面３７Ａ２を支持している。補強ピース１００の係合壁部１０３は、押し縁３７Ａの凹部３８Ｃに係合されている。これにより、補強ピース１００の押し縁３７Ｄ側への水平移動が規制されている。また、図１４に示すように、補強ピース１００の一対の係合爪部１０４は凹溝部３６内に配置され、係合爪部１０４に形成された突起１０４ａが凹溝部３６の開口側に形成された突出片３６ａに係合している。これにより、補強ピース１００が方立アタッチメント３３Ａの凹溝部３６に保持されている。また、係合爪部１０４は、ガイド部材４５の基部４６の上面４６ｂに載置されている（図８、図１０参照）。
【００３６】
図１１に示すように、縦枠アタッチメント３３Ｂ側でも同様に、押し縁３７Ｂの下方において、補強ピース１００の基台１０１が、下枠アタッチメント３３Ｄの凹溝部３６に挿入されている。補強ピース１００の支持部１０２の上面１０２ａは、押し縁３７Ｂの下面３７Ｂ２を支持している。補強ピース１００の係合壁部１０３は、押し縁３７Ｂの凹部３８Ｃに係合されている。これにより、補強ピース１００の押し縁３７Ｄ側への水平移動が規制されている。また、図１５に示すように、補強ピース１００の一対の係合爪部１０４は凹溝部３６内に配置され、係合爪部１０４に形成された突起１０４ａが凹溝部３６の開口側に形成された突出片３６ａに係合している。これにより、補強ピース１００が縦枠アタッチメント３３Ｂの凹溝部３６に保持されている。
【００３７】
本実施形態による連窓１は上述した構成を備えており、次に例えば５層のガラスパネルを備えた障子７、８をＦＩＸ窓３と縦辷り出し窓４に組み込む方法について説明する。
例えば、２層または３層ガラスパネルの複層パネルを枠体２に備えたＦＩＸ窓３と縦辷り出し窓４を方立５の両側に設置した連窓１において、枠体２をそのまま用いて、寒冷地仕様または断熱仕様等のための例えば５層のガラスパネル２０を備えた障子７、８をＦＩＸ窓３と縦辷り出し窓４に交換施工する組み込み方法について説明する。
先ず、縦辷り出し窓４では２層または３層からなる複層パネルの障子を取り外し、屋内側の枠体２の部品を除去して、方立５と他方の縦枠１２Ｂと上枠１０及び下枠１１との間の開口部１３Ｂに５層のガラスパネル２０を備えた複層パネル２１を屋内側に押し付けて設置し、その上下框１７，１８及び左右の縦框１９の屋外側先端面が枠体２の先端面と面一になるように設置する。
【００３８】
縦辷り出し窓４の障子８は、枠体２と方立５との間の他方の開口部１３Ｂに、吊元側の縦框１９回りに外側に開閉可能に納めたものである。図１において、障子８の閉鎖状態で、他方の縦枠１２Ｂと方立５の屋内側端部に設けた気密材３０に障子８の左右の内側框部２５を当接させ、障子８の左右の縦框１９の段付き部に設置した気密材２３ａ、２３ｂを縦枠１２Ｂの段部と方立５の先端部５ａに押圧させて密閉状態に保持できる。
そして、障子８の各框に押し縁２４を取り付けて屋外側のガラスパネル２０を押圧し、その屋外側先端面は、左右の縦枠１２Ａ，１２Ｂ，上枠１０及び下枠１１のテーパ状のホロー部１２ｂ、１０ｂ、１１ｂの先端面と略面一に設置する。
【００３９】
次に、図１及び図４において、二層ガラスパネルまたは三層ガラスパネルの複層パネルの障子をＦＩＸ窓３から取り外す。そして、方立５の先端側に方立アタッチメント３３Ａをネジ３５等で取り付ける。その際、方立アタッチメント３３Ａの長手方向の上端部と下端部のホロー部３３ａ、３３ｂに線対称に設置したガイド部材４５の第一ガイド部４７と第二ガイド部４８をそれぞれ挿入して、第二ガイド部４８のピン４８ａを方立アタッチメント３３Ａの上下の係合穴５２にそれぞれ係合させる。
そして、上下のガイド部材４５の基部４６を上枠１０のテーパ状のホロー部１０ｂのテーパ面と下枠１１のテーパ状のホロー部１１ｂのテーパ面とに両面テープやねじ等で固定する。この状態で上下のガイド部材４５と方立アタッチメント３３Ａの上下端部との一方または両方に隙間Ｋ１，Ｋ２が形成される。
【００４０】
そして、上枠１０と下枠１１に上枠アタッチメント３３Ｃと下枠アタッチメント３３Ｄを設置し、その端部のホロー部３３ｄ内に各ガイド部材４５の第三ガイド部４９を挿入し、上枠アタッチメント３３Ｃと下枠アタッチメント３３Ｄの表面の穴５６を通してネジ３５を第三ガイド部４９のネジ受け部に螺合し固定する。
また、図２に示すように、上枠１０と下枠１１におけるテーパ状のホロー部１０ｂ、１１ｂのテーパ面に上枠アタッチメント３３Ｃ、下枠アタッチメントＤをネジ３５等で固定すると共に、係合爪４０を上下枠１０、１１のホロー部１０ａ、１１ｂに形成した係合受け部４１に係合させることで固定する。
【００４１】
また、図１に示すように、縦枠アタッチメント３３Ｂを方立５に対向する一方の縦枠１２Ａに取り付ける。その際、一方の縦枠１２Ａにおけるテーパ状のホロー部１２ｂの内面に縦枠アタッチメント３３Ｂをネジ３５等で固定すると共に、係合爪４０を縦枠１２Ａのホロー部１２ａに形成した係合受け部４１に係合させることで固定する。
これによって、方立アタッチメント３３Ａの屋外側先端面は左右の縦枠１２Ａ，１２Ｂ，上枠１０及び下枠１１のテーパ状のホロー部１２ｂ、１０ｂ、１１ｂの先端面と略面一に設置される。また、他のアタッチメント３３Ｂ，３３Ｃ、３３Ｄの屋外側先端面は方立アタッチメント３３Ａの屋外側先端面より若干屋内側に引っ込んでいる。
【００４２】
次に、下枠アタッチメント３３Ｄの方立アタッチメント３３Ａ側において、下枠アタッチメント３３Ｄの凹溝部３６に補強ピース１００の基台１０１を挿入し、方立アタッチメント３３Ａ側にスライドさせる。補強ピース１００の一対の係合爪部１０４が互いに近接するように弾性変形して、方立アタッチメント３３Ａの凹溝部３６の突出片３６ａを乗り越える。一対の係合爪部１０４は、凹溝部３６内に挿入されると、元の状態に戻るように互いに離間するように弾性変形して、係合爪部１０４の突起１０４ａが突出片３６ａに係合する。これにより、補強ピース１００が方立アタッチメント３３Ａの凹溝部３６に保持される。
【００４３】
また、下枠アタッチメント３３Ｄの縦枠アタッチメント３３Ｂ側においても同様に、下枠アタッチメント３３Ｄの凹溝部３６に補強ピース１００の基台１０１を挿入し、縦枠アタッチメント３３Ｂ側にスライドさせる。補強ピース１００の一対の係合爪部１０４が互いに近接するように弾性変形して、縦枠アタッチメント３３Ｂの凹溝部３６の突出片３６ａを乗り越える。一対の係合爪部１０４は、凹溝部３６内に挿入されると、元の状態に戻るように互いに離間するように弾性変形して、係合爪部１０４の突起１０４ａが突出片３６ａに係合する。これにより、補強ピース１００が縦枠アタッチメント３３Ｂの凹溝部３６に保持される。
【００４４】
次にＦＩＸ窓３において、５層のガラスパネル２０からなる複層パネル３２を備えた障子７を方立５と縦枠１２Ａ、上枠１０及び下枠１１からなる枠内に装着し、その屋内側のガラスパネル２０を方立５と縦枠１２Ａ、上枠１０及び下枠１１に設けた気密材５５に押圧する。
【００４５】
そして、屋外側のガラスパネル２０には、方立アタッチメント３３Ａに形成した凹溝部３６に、ヒレ付きの押し縁３７Ａを嵌合させる。同様に、縦枠アタッチメント３３Ｂ、上枠アタッチメント３３Ｃ，下枠アタッチメント３３Ｄにそれぞれ形成した凹溝部３６に、ヒレ部付きの押し縁３７Ｂ，３７Ｃ，３７Ｄを嵌合させる。この際に、上下方向に延びる押し縁３７Ａ，３７Ｂの側面３７Ａ１，３７Ｂ１に、水平方向に延びる押し縁３７Ｃ，３７Ｄの端面を当接させるように組み付ける。また、上下方向に延びる押し縁３７Ａ，３７Ｂの下面３７Ａ２，３７Ｂ２を補強ピース１００の支持部１０２の上面１０２ａで支持させるとともに、押し縁３７Ａ，３７Ｂの凹部３８Ｃを補強ピース１００の係合壁部１０３に係合させる。各凹溝部３６に設けられた押し縁３７Ａ，３７Ｂ，３７Ｃ，３７Ｄで、屋外側のガラスパネル２０を押圧させる。
【００４６】
本実施形態による連窓１において、図４に示す方立アタッチメント３３Ａはその屋内側のネジ受け部３４ｂを通して方立５の受け部５ｃにネジ３５を螺合させて方立５に固定しているため、外部に露出しない。また、方立アタッチメント３３Ａを支持する上下のガイド部材４５の第三ガイド部４９を上枠アタッチメント３３Ｃと下枠アタッチメント３３Ｄに固定するネジ３５は各アタッチメント３３Ｃ、３３Ｄに埋め込まれて障子７によって隠れるため、外観に露出せず意匠性がよい。
【００４７】
本実施形態による連窓１は、方立アタッチメント３３Ａの上下端部にガイド部材４５を設けたため、直射日光や高温環境等によって方立アタッチメント３３Ａが伸長したとしても、上下のガイド部材４５の第一ガイド部４７と第二ガイド部４８によって伸長方向をガイドされ、しかも、隙間Ｋ１，Ｋ２を埋めることで吸収できる。また、方立アタッチメント３３Ａが更に伸長してもガイド部材４５の基部４６で受けることができる。
そのため、方立アタッチメント３３Ａが上枠１０や下枠１１を押圧して変形させることを防止できる。
また、方立アタッチメント３３Ａが低温環境等で収縮しても上下端部のガイド部材４５との間にガイド部材４５の隙間隠し４６ａを有するため、隙間Ｋ１，Ｋ２が目立たず意匠性が良い。
【００４８】
なお、上枠１０と下枠１１、左右の縦枠１２Ａ、１２Ｂは互いに当接する角部を熱溶着しているために高強度であり、これらに取り付けた縦枠アタッチメント３３Ｂ、上枠アタッチメント３３Ｃ、下枠アタッチメント３３Ｄの熱による伸縮を抑制できる。
なお、５層や４層のガラスパネル２０の複層パネル２１、３２から２〜３層のガラスパネルの複層パネルに交換施工する場合には、上述の組込み方法と逆の手順で方立アタッチメント３３Ａ、縦枠アタッチメント３３Ｂ、上枠アタッチメント３３Ｃ、下枠アタッチメント３３Ｄを取り外せばよい。
【００４９】
上述したように本実施形態による連窓１によれば、方立アタッチメント３３Ａ、縦枠アタッチメント３３Ｂに挿入された押し縁３７Ａ，３７Ｂが伸長した場合には、下枠アタッチメント３３Ｄの凹溝部３６に挿入された補強ピース１００が押し縁３７Ａ，３７Ｂの下面３７Ａ２，３７Ｂ２を支持するため、押し縁３７Ａ，３７Ｂが下枠アタッチメント３３Ｄを押圧して変形させることを抑制することができる。
よって、補強ピース１００で押し縁３７Ａ，３７Ｂを支持させることで、下枠アタッチメント３３Ｄの肉厚を薄くすることができ、下枠アタッチメント３３Ｄのコストを抑えることができる。
【００５０】
また、下枠アタッチメント３３Ｄの凹溝部３６に挿入された押し縁３７Ｄの端面３７Ｄ１が方立アタッチメント３３Ａ、縦枠アタッチメント３３Ｂの凹溝部３６に挿入された押し縁３７Ａ，３７Ｂに当接しており、押し縁３７Ｄが伸長した場合には押し縁３７Ａ，３７Ｂが伸長した押し縁３７Ｄを支持するため、方立アタッチメント３３Ａ、縦枠アタッチメント３３Ｂの変形を抑制することができる。
【００５１】
また、補強ピース１００の係合壁部１０３は、補強ピース１００が支持する押し縁３７Ａ，３７Ｂの凹部３８Ｃと係合し移動が規制されるため、補強ピース１００が押し縁３７Ａ，３７Ｂを支持した状態を維持することができる。
【００５２】
また、枠体２に方立アタッチメント３３Ａ、縦枠アタッチメント３３Ｂ、上枠アタッチメント３３Ｃ、下枠アタッチメント３３Ｄを着脱することで、ガラスパネル２０の枚数が異なって見込み幅の異なる５層の複層パネル２１、３２を交換施工して設置することができる。
また、方立５に連結する方立アタッチメント３３Ａは、その長さを上枠１０と下枠１１との間の長さよりも短く設定すると共に、上下端部に隙間Ｋ１、Ｋ２を介してガイド部材４５を設置したため、熱で方立アタッチメント３３Ａが伸長しても隙間Ｋ１，Ｋ２を埋めることで吸収でき、更に隙間Ｋ１，Ｋ２を超える伸長があってもガイド部材４５で受けることができて、上枠１０や下枠１１を押圧変形することを防止できる。
また、方立アタッチメント３３Ａの上下端部に設けたガイド部材４５に隙間隠し４６ａを形成して隙間Ｋ１、Ｋ２を隠すことができるため、伸縮に関わらず外部から目立たず意匠性が向上する。第一及び第二ガイド部４７，４８を方立アタッチメント３３Ａのホロー部３３ａ、３３ｂに挿入して伸縮をガイドすることで方立アタッチメント３３Ａの熱による変形を抑制できる。
【００５３】
上記の実施形態において、方立アタッチメント３３Ａ、縦枠アタッチメント３３Ｂは、縦枠に含まれるものであり、上枠アタッチメント３３Ｃ、下枠アタッチメント３３Ｄは横枠に含まれるものである。
【００５４】
なお、本発明による連窓１は、上述した実施形態に限定されるものではなく、本発明の要旨を逸脱しない範囲で適宜の変更や置換等が可能である。以下に、本発明の変形例について上述した実施形態と同一または同様な部品や部分には同一の符号を用いて説明する。
【００５５】
例えば上述した実施形態では、方立アタッチメント３３Ａの熱による伸縮のガイドとして、ホロー部３３ａ、３３ｂ内に第一及び第二ガイド部４７，４８を挿入したガイド部材４５をその上下端部に設置したが、本発明はこのような構成に限定されない。
例えば、ガイド部材４５は方立アタッチメント３３Ａの上下の一方にのみ設けて他方に間隙を形成してもよい。この場合、熱による方立アタッチメント３３Ａの伸びは間隙で吸収できる。或いは、両側のガイド部材４５に代えて間隙を形成して、方立アタッチメント３３Ａの伸張を間隙で吸収するようにしてもよい。この場合、方立アタッチメント３３Ａは上枠１０または下枠１１に固定してもよい。
【００５６】
また、上述した実施形態では、補強ピース１００は、下枠アタッチメント３３Ｄの凹溝部３６に挿入されているが、本発明はこれに限られない。補強ピース１００は、上枠アタッチメント３３Ｃの凹溝部３６に挿入されていてもよく、この場合には押し縁３７Ａ，３７Ｂの伸長により、上枠アタッチメント３３Ｃが変形することが抑制される。また、補強ピース１００は、方立枠アタッチメント３３Ａ、縦枠アタッチメント３３Ｂの凹溝部３６に挿入されていてもよく、この場合には押し縁３７Ｃ，３７Ｄの伸長により、方立枠アタッチメント３３Ａ、縦枠アタッチメント３３Ｂが変形することが抑制される。あるいは、方立枠アタッチメント３３Ａ、縦枠アタッチメント３３Ｂ、上枠アタッチメント３３Ｃ及び下枠アタッチメント３３Ｄの複数に補強ピース１００が挿入されていてもよい。
【００５７】
さらには、上枠１０、下枠１１、左右の縦枠１２Ａ，１２Ｂにおいて見込み方向の屋外側がテーパ状ホロー部に代えて断面四角形状のホロー部で形成していれば、上枠アタッチメント３３Ｃ，下枠アタッチメント３３Ｄ，縦枠アタッチメント３３Ｂを省略できる。この場合には、上枠１０、下枠１１、左右の縦枠１２Ａ，１２Ｂに直接補強ピース１００を設けることができる。
【００５８】
また、上記に示す実施形態では、２層または３層ガラスパネルの障子が設置されていたものを、５層ガラスパネルを納めた障子７と障子８に交換する例を挙げて説明したが、本発明はこれに限られず、新規で障子を設置する場合や、単層または２層、３層、４層や６層以上など適宜の枚数のガラスパネルを設置する場合にも適用可能である。
【００５９】
なお、上述した実施形態では、連窓１におけるＦＩＸ窓３と縦辷り出し窓４の配置構成を例にとって説明したが、本発明はＦＩＸ窓３と縦辷り出し窓４を配列した連窓に限定されない。本発明は、例えば縦辷り出し窓４や横辷り出し窓等の各種の窓を備えた方立や無目を有する連窓もしくは段窓、または単独の窓等、どのような種類の建具に用いてもよい。
【符号の説明】
【００６０】
１  連窓
２  枠体
３、６２  ＦＩＸ窓
４  縦辷り出し窓
５  方立
７，８  障子
１２Ａ，１２Ｂ  縦枠
１３Ａ、１３Ｂ  開口部
１５  断熱材
２１、３２  複層パネル
２４、３７Ａ、３７Ｂ、３７Ｃ、３７Ｄ  押し縁
３３Ａ  方立アタッチメント（縦枠）
３３Ｂ  縦枠アタッチメント（縦枠）
３３Ｃ  上枠アタッチメント（横枠）
３３Ｄ  下枠アタッチメント（横枠）
３６  凹溝部（凹部）
４５  ガイド部材
４６  基部
４６ａ  隙間隠し
４７  第一ガイド部
４８  第二ガイド部
６１  キャップ
１００  補強ピース（補強部材）
１０３  係合壁部（押し縁係合部）
【図１】
0006483582.tif 000002
【図２】
0006483582.tif 000003
【図３】
0006483582.tif 000004
【図４】
0006483582.tif 000005
【図５】
0006483582.tif 000006
【図６】
0006483582.tif 000007
【図７】
0006483582.tif 000008
【図８】
0006483582.tif 000009
【図９】
0006483582.tif 000010
【図１０】
0006483582.tif 000011
【図１１】
0006483582.tif 000012
【図１２】
0006483582.tif 000013
【図１３】
0006483582.tif 000014
【図１４】
0006483582.tif 000015
【図１５】
0006483582.tif 000016